(57)【要約】本発明は、使用者の呼吸を監視するためのデバイス（１）に関し、前記デバイスは、大部分を占める電気絶縁性の地ヤーンを編むことによって形成された筒状部分（２１）を含む生地支持体（２）であって、筒状部分（２１）は使用者の胸部を被覆することに適している生地支持体（２）と、検出ヤーン（１７）を編むことによって形成された少なくとも１つの呼吸センサ（３、４）であって、検出ヤーン（１７）が、電気絶縁材料の内側コアと、内側コアを取り囲む外側シースとを含み、外側シースが、電気伝導性材料から形成されている、少なくとも１つの呼吸センサ（３、４）と、を備え、呼吸センサ（３、４）が、互いに距離を置いて配置された第１の端部（３１１、４１１）および第２の端部（３１２、４１２）を有する導電帯（３１、４１）を形成し、それら端部は、導電帯（３１、４１）の電気抵抗を測定する装置に接続するのに適している。【選択図】    図１
2018507081.tif 000002
【特許請求の範囲】
【請求項１】
使用者の呼吸を監視するためのデバイス（１）であって、
大部分を占める電気絶縁性の地ヤーン（１６）を編むことによって形成された筒状部分（２１）を含む生地支持体（２）であって、前記筒状部分（２１）は前記使用者の胸部を被覆することができる生地支持体（２）と、
検出ヤーン（１７）を編むことによって形成された少なくとも１つの呼吸センサ（３、４）であって、前記検出ヤーン（１７）が複数の編目を形成し、前記検出ヤーン（１７）が、電気絶縁材料から作製された少なくとも１つの内側コア（１７１）と、前記内側コア（１７１）を取り囲む外側シース（１７２）とを含み、前記外側シース（１７２）が、前記検出ヤーンの編目間に電気接点を形成するように電気伝導性材料から作製される、少なくとも１つの呼吸センサ（３、４）と、を備え、
前記呼吸センサ（３、４）が、互いに距離を置いて配置された第１の端部（３１１、４１１）および第２の端部（３１２、４１２）を有する導電帯（３１、４１）を形成し、前記端部が、前記導電帯（３１、４１）の電気抵抗を測定する装置に接続可能であり、
前記導電帯（３１、４１）は、前記使用者の前記胸部が前記生地支持体（２）で被覆されるときに前記導電帯（３１、４１）が前記使用者の呼吸のために二者択一的に伸張および収縮されるように前記筒状部分（２１）に対して配置され、前記導電帯（３１、４１）の前記伸張および収縮が、前記導電帯（３１、４１）内の前記検出ヤーン（１７）の前記編目間の前記電気接点を変更させ、前記導電帯（３１、４１）の前記電気抵抗の変更を引き起こす効果を有する、
使用者の呼吸を監視するためのデバイス（１）。
【請求項２】
前記検出ヤーン（１７）が、ポリマー材料から、好ましくはポリアミドから作製された少なくとも１つのコア（１７１）を含む、請求項１に記載のデバイス。
【請求項３】
前記検出ヤーン（１７）の前記シース（１７２）が、導電性材料から、好ましくは銀から作製されたヤーンで前記内側コア（１７１）を包むことによって形成される、請求項１または２に記載のデバイス。
【請求項４】
前記検出ヤーン（１７）の前記シース（１７１）が、導電性材料から、好ましくは銀から作製された層で前記内側コア（１７１）を被覆することによって形成される、請求項１または２に記載のデバイス。
【請求項５】
前記検出ヤーン（１７）がいくつかの導電性フィラメント（１７５）から構成され、各導電性フィラメント（１７５）が、導電性材料から、好ましくは銀から作製された外層（１７２）で被覆されたコア（１７１）を含む、請求項１〜４のいずれか一項に記載のデバイス。
【請求項６】
前記被覆されたフィラメント（１７５）が互いに撚り合わされる、請求項５に記載のデバイス。
【請求項７】
前記筒状部分（２１）が、前記大部分を占める地ヤーン（１６）および弾性ヤーンを編むことによって形成される、請求項１〜６のいずれか一項に記載のデバイス。
【請求項８】
前記導電帯（３１、４１）が、好ましくは胸骨および／または腹筋の高さで、前記使用者の前記胸部をまたは前記胸部の一部を取り囲み、前記使用者の腹部にわたっておよび／または背部にわたって延在する、請求項１〜７のいずれか一項に記載のデバイス。
【請求項９】
前記筒状部分（２１）および前記呼吸センサ（３、４）が、単一作業内で丸編みによって形成され、前記地ヤーン（１６）および前記検出ヤーン（１７）が交互に編まれる、請求項１〜８のいずれか一項に記載のデバイス。
【請求項１０】
編んでいる間、前記地ヤーンが編まれている（１６）とき、前記検出ヤーン（１７）が切断される、請求項９に記載のデバイス。
【請求項１１】
前記使用者が前記生地支持体（２）で被覆されているとき、前記導電帯（３１、４１）と前記使用者の皮膚との間に配置される絶縁層をさらに含む、請求項１〜１０のいずれか一項に記載のデバイス。
【請求項１２】
前記筒状部分（２１）に取り付けられたシースと、前記導電帯（３１、４１）の前記端部（３１５、３１６、４１５、４１６）を前記電気抵抗測定装置に接続するために前記シースの内側に配置された接続ケーブルとをさらに含む、請求項１〜１０のいずれか一項に記載のデバイス。
【発明の詳細な説明】
【技術分野】
【０００１】
本発明は、呼吸を監視するためのデバイスであって、使用者が着用することができる衣料品のようなデバイスに関する。
【背景技術】
【０００２】
ユーザの生理的状態を連続的に監視するために、衣料品を形成するように意図された生地構造体にセンサを固定することが知られている。このようなセンサは、例えば、衣料品を着用する使用者の心臓の活動を表す心電図信号の測定を可能にする。
【０００３】
しかしながら、そのようなセンサは時としてかさばり、その結果使用者が快適でなくなるということが判明する場合がある。さらに、これらのセンサの衣料品への組み付けおよびそれらの電気的接続は複雑であることが判明する場合がある。
【０００４】
欧州特許第１５０６７３８号明細書は生地センサを含む弾性衣料品を記載している。センサは、一方で心電図または筋電図の精緻化のために身体によって生成された電気信号を収集するために使用される、皮膚に対して適用される柔軟性生地電極を、他方で使用者の呼吸運動を測定するために使用される機械的変形センサを含む。電極は、弾性導電ヤーンを織るまたは編むことによって形成される。機械的変形センサは、編まれない弾性導電ヤーンを含む。弾性導電ヤーンは、非導電性弾性ヤーンから構成されるコアの周囲を非伸縮性導電ヤーンで包むことによって得られる、すなわち、導電ヤーンが非導電性弾性ヤーンの周囲に螺旋状に巻かれる。弾性導電ヤーンが伸張されるとヤーンは伸長し、巻線の隣接する巻回が互いに離れるように移動し、弾性導電ヤーンの伸長に依存する電気抵抗の測定可能な変化を引き起こす。
【０００５】
米国特許出願公開第２００７／０１７１０２４号明細書は、ゲージと一体化された衣料品を記載しており、ゲージは衣料品を着用している使用者の呼吸を監視する可能性を与える。衣料品は、非導電ヤーンから織られた生地基材を含む。ゲージは、非導電ヤーンで縁取りされた導電ヤーンによって形成され、使用者の腹部領域または胸部で生地基体に織り込まれている。導電ヤーンは、生地繊維と撚られた超極細金属ヤーンから、または金属繊維と混合された生地繊維から構成される。使用者の呼吸運動は、導電ヤーンの伸長または収縮を引き起こす。導電ヤーンの長さの変化は、ヤーンの電気的特性の変化を引き起こす。
【０００６】
そのような衣料品では、測定装置への導電ヤーンの接続は、導電ヤーンと接続ケーブルとの間に電気接点を形成するために、最初に導電ヤーンを剥ぐこと、すなわち、それを取り囲む非導電ヤーンを除去することを必要とする。
【０００７】
さらに、導電ヤーンを非導電ヤーンで包むことは、導電ヤーンの合計直径を増加させ、これは衣料品の製造コストを増加させ、また衣料品を着用している使用者に不快感をもたらす可能性がある。
【発明の概要】
【発明が解決しようとする課題】
【０００８】
本発明の目的は、使用者の呼吸を追跡するためのデバイスを提案することであり、このデバイスは、快適性を改善し、デバイスを作製するのに必要な製造ステップを最小化する。
【課題を解決するための手段】
【０００９】
この目的は、使用者の呼吸を監視するためのデバイスであって、
−  大部分を占める電気絶縁性の地ヤーンを編むことによって形成された筒状部分を含む生地支持体であって、筒状部分は使用者の胸部を被覆することができる生地支持体と、
−  検出ヤーンを編むことによって形成された少なくとも１つの呼吸センサであって、検出ヤーンが複数の編目を形成し、検出ヤーンが、電気絶縁材料の少なくとも１つの内側コアと、内側コアを取り囲む外側シースとを含み、外側シースが、検出ヤーンの編目間に電気接点を形成するように電気伝導性材料で形成される、少なくとも１つの呼吸センサと、
を備えたデバイスによって本発明の範囲内で達成される。
【００１０】
呼吸センサが、互いに距離を置いて配置された第１の端部および第２の端部を有する導電帯を形成し、それら端部は、導電帯の電気抵抗を測定する装置に接続可能である。
【００１１】
導電帯は、使用者の胸部が生地支持体で被覆されるときに導電帯が使用者の呼吸のために交互に伸張および収縮されるように筒状部分に対して配置され、導電帯の伸張および収縮が、導電帯内の検出ヤーンの編目間の電気接点を変更させ、導電帯の電気抵抗の変更を引き起こす効果を有する。
【００１２】
このようなデバイスでは、検出ヤーンは絶縁されておらず、より小さく、より安価でより軽量なヤーンの使用が可能になる。さらに、検出ヤーンの測定装置への接続は、検出ヤーンの事前ストリッピングを一切必要としない。
【００１３】
さらに、検出ヤーンの連続する編目は、外側シースのそれ自体との複数の接点を形成する。電気抵抗の変更をもたらすのは主として導電帯の伸張および収縮の間のこれら電気接点の変更であり、実際のヤーンの伸張でも収縮でもない。
【００１４】
提案されるデバイスはさらに以下の特徴を有し得る：
−  検出ヤーンは、ポリマー材料から、好ましくはポリアミドから作製された少なくとも１つのコアを含む、
−  第１の可能性によれば、検出ヤーンのシースは、導電性材料から、好ましくは銀から作製されたヤーンで内側コアを包むことによって形成される、
−  第２の可能性によれば、検出ヤーンのシースは、導電性材料から、好ましくは銀から作製された層で内側コアを被覆することによって形成される、
−  ヤーンはいくつかの非導電性フィラメントから構成され得、各フィラメントは、導電性材料から、好ましくは銀から作製された外層で被覆される、
−  この場合、被覆されたフィラメントは互いに撚り合わされてもよい、
−  筒状部分は、大部分を占める地ヤーンおよび弾性ヤーンを編むことによって形成される、
−  導電帯は、好ましくは胸骨および／または腹筋の高さで、使用者の胸部を少なくとも部分的に取り囲み、使用者の腹部にわたっておよび／または背部にわたって延在する、
−  導電帯は、使用者の腹部および背部の両方にわたって延在し得る、
−  筒状部分および呼吸センサは、単一作業内で丸編みによって形成され、地ヤーンおよび検出ヤーンは交互に編まれる、
−  編んでいる間、地ヤーンが編まれているとき、検出ヤーンが切断される、
−  デバイスはさらに、使用者が生地支持体で被覆されているとき、導電帯と使用者の皮膚との間に配置される絶縁層を含む、
−  デバイスはさらに、筒状部分に取り付けられたシースと、導電帯の端部を電気抵抗測定装置に接続するためにシースの内側に配置された接続ケーブルとを含む。
【００１５】
他の特徴および利点は、単に実例でありかつ非限定的であり、添付の図面を参照して読まれるべきである後続の記載から明らかになるであろう。
【図面の簡単な説明】
【００１６】
【図１】本発明の可能な実施形態による呼吸監視デバイスの正面図を概略的に示す。
【図２】呼吸監視デバイスの背面図を概略的に示す。
【図３】デバイスの詳細図である。
【図４】シースおよび接続ケーブルを含むデバイスを概略的に示す。
【図５Ａ】デバイスの正面および背面の概略的な詳細図である。
【図５Ｂ】デバイスの正面および背面の概略的な詳細図である。
【図６】呼吸センサを形成する編目を概略的に示し、センサはそれぞれ休止状態および伸張状態にある。
【図７】呼吸センサを形成する編目を概略的に示し、センサはそれぞれ休止状態および伸張状態にある。
【図８】編目を形成する導電ヤーンを概略的に示し、導電ヤーンはそれぞれ休止状態および伸張状態にある。
【図９】編目を形成する導電ヤーンを概略的に示し、導電ヤーンはそれぞれ休止状態および伸張状態にある。
【図１０】生地支持体を形成するために使用される非導電ヤーンの構造を概略的に示す。
【図１１】第１の可能性によるセンサを形成するために使用される導電ヤーンの構造を概略的に示す。
【図１２】第２の可能性によるセンサを形成するために使用される導電ヤーンの構造を概略的に示す。
【図１３】第３の可能性によるセンサを形成するために使用される導電ヤーンの構造を概略的に示す。
【図１４】呼吸センサの、および導電帯の電気抵抗を測定するための装置の等価電気図である。
【図１５】呼吸センサから記録された電気抵抗の変化を概略的に示す。
【発明を実施するための形態】
【００１７】
図１〜４において、示されている呼吸監視デバイス１は、生地支持体２と、使用者の呼吸を監視するために生地支持体２に一体化された複数のセンサ３および４とを含む。
【００１８】
生地支持体２は、例えば使用者の身体を被覆することができるＴシャツなどの衣料品として具現化される。
【００１９】
図１〜４に示す実施形態では、センサは２つの呼吸センサ３および４を含む。
【００２０】
呼吸センサ３および４は、衣料品を着用する使用者の胸腔および／または腹部の呼吸運動の検出を可能にする。
【００２１】
生地支持体２は、使用者の胸部を取り囲むことができる筒状部分２１を含む。
【００２２】
筒状部分２１は、頭部を通すための首部２４と、使用者の腹部を被覆することができる前部２５（図１で視認可能）と、使用者の背部を被覆することができる後部２６（図２で視認可能）とを有している。
【００２３】
筒状部分２１は、電気的に絶縁された、大部分を占める地ヤーンと、弾性ヤーンとを同時に編むことによって形成される。
【００２４】
大部分を占める地ヤーン１６は、図１０に概略的に示されている。大部分を占める地ヤーン１６は、ポリアミド糸（ＰＡ）またはポリエステル糸（ＰＥＳ）など、ポリマー材料から作製された合成糸である。
【００２５】
弾性ヤーン（図示せず）は、Ｌｙｃｒａ（登録商標）（Ｉｎｖｉｓｔａ社によって市販されている）の商標で知られている、熱可塑性エラストマーからまたはポリウレタン誘導体で作製されたヤーンである。弾性ヤーンは、包まれ（ｗｒａｐｐｅｄ）（フランス語で「ｇｕｉｐｅ」）てもよく、または二重に包まれ（ｄｏｕｂｌｅ−ｗｒａｐｐｅｄ）（フランス語で「ｄｏｕｌｂｅ−ｇｕｉｐｅ」）てもよい。
【００２６】
地ヤーン１６および弾性ヤーンは、地ヤーンが弾性ヤーンを正確に被覆するように一緒に編まれる。
【００２７】
各呼吸センサ３および４は、胸骨の頂部と腹の底部との間に位置する領域において、使用者の胸部の周囲に延びる。
【００２８】
各呼吸センサ３および４は、電気伝導性の検出ヤーンを編むことによって形成される。
【００２９】
図１１〜１３に示すように、検出ヤーン１７は、電気絶縁材料から作製された少なくとも１つの内側コア１７１と、内側コアを取り囲む外側シース１７２とを含み、外側シース１７２は電気伝導性材料から作製される。コア１７１の電気絶縁材料は、例えばポリアミドなどのポリマーであってもよい。
【００３０】
外側シース１７２の導電性材料は、金属、好ましくは銀などの生体適合性金属であってもよい。
【００３１】
（図１１に示される）第１の可能性によれば、検出ヤーン１７のシース１７２は、導電性材料から作製されたヤーン１７３で内側コア１７１を包む（ｗｒａｐｐｉｎｇ）（フランス語で「ｇｕｉｐａｇｅ」）ことによって形成される。換言すると、導電性材料から作製されたヤーン１７３は内側コア１７１の周囲にらせん状に巻き付けられる。
【００３２】
（図１２に示される）第２の可能性によれば、検出ヤーンのシース１７２は、内側コア１７１を、導電性材料から作製された層１７４で被覆することによって形成される。被覆は、導電性材料の真空蒸着技術によって、例えば陰極スパッタリングによって形成される。
【００３３】
（図１３に示される）第３の可能性によれば、検出ヤーン１７は、互いに撚り合わされた導電性フィラメント１７５の束から構成される。各導電性フィラメントは、導電性材料から、好ましくは銀から作製された外側シース１７２で被覆された、絶縁材料から作製されたコア１７１を含む。
【００３４】
これは図１〜４で見ることができるように、使用者が衣料品を着用するとき、第１の呼吸センサ３は、胸骨で使用者の胸部の周りに延びる第１の導電帯３１を形成する。第１の導電帯３１は、使用者の胸部の周りに互いに平行に延びるいくつかの支線を含み得る。
【００３５】
より具体的には、図１〜図４において、第１の導電帯３１は、互いに平行に延びる２本の長手方向支線３１１、３１２を含む。
【００３６】
各長手方向支線３１１、３１２は編み方向に沿って、すなわちよこ列の方向に平行に延びる。
【００３７】
さらに、各長手方向支線３１１、３１２は、衣料品の前部および後部の両方に延びている。
【００３８】
第１の帯３１はまた、編み方向に交差して延在し、長手方向支線３１１、３１２をそれらの端部で互いに電気的に接続する接合部３１３、３１４を含む。
【００３９】
第１支線３１１は、衣料品の前部の中心軸Ｘ（使用者の臍を通過する仮想軸）で中断される。
【００４０】
第１の帯３１は、中心軸Ｘの両側に互いに距離を置いて配置された２つの端部３１５、３１６を有する電気回路を形成する。第１の帯３１の端部３１５および３１６は、第１の導電帯３１の電気抵抗を測定するための装置に電気的に接続することができる。
【００４１】
各支線３１１、３１２は、１よこ列と５０よこ列の編目の間に含まれる幅を有する。
【００４２】
第２の呼吸センサ４は、腹部の筋肉において使用者の胸部の周りに延びる第２の導電帯４１を形成する。
【００４３】
第２の導電帯４１は、第１の導電帯３１と同様のものである。第２の導電帯４１は、使用者の胸部の周囲に互いに平行に延びる２つの支線４１１、４１２と、２つの接合部４１３、４１４とを含む。第１の支線４１１は、中心軸Ｘで中断される。したがって第２の導電帯４１は同じく、軸Ｘの両側に互いに距離を置いて配置され、第２導電帯４１の電気抵抗を測定するための装置に電気的に接続することができる２つの端部４１５および４１６を有する。
【００４４】
筒状部分２１および呼吸センサ３および４は、単一作業内で丸編みによって形成される。導電性ヤーンの挿入は、「刺繍によって」（ｂｙ  ｍｅａｎｓ  ｏｆ  ｅｍｂｒｏｉｄｅｒｙ）（フランス語で「ｐａｒ  ｌｅ  ｂｉａｉｓ  ｄｅ  ｌａ  ｂｒｏｄｅｒｉｅ」）と呼ばれる。
【００４５】
このように、主たる筒状部分２１を形成する地ヤーン１６（弾性ヤーンを含む）およびセンサ３および４を形成する検出ヤーン１７は編み作業中に交互に編まれる。
【００４６】
換言すると、編み作業中、検出ヤーン１７が編まれているとき、地ヤーン１６は編まれることを中止される。同じく、地ヤーン１６が編まれているとき、検出ヤーン１７は編まれることを中止される。
【００４７】
さらに、図５Ａおよび５Ｂに示すように、地ヤーン１６が編まれるとき、検出ヤーン１７は切断される。図５Ａにおいて、検出ヤーン１７の切断端部１７６は、呼吸センサの接合部３１３、３１４の縁部に沿って（同じく接合部４１３、４１４の縁部に沿って）衣料品の後部に現れる。
【００４８】
他方、地ヤーン１６は切断されず、地ヤーンの編まれない部分１６６が、呼吸センサの接合部３１３、３１４の背後で（同じく接合部４１３、４１４の縁部に沿って）衣料品の後部に現れる。
【００４９】
さらに、呼吸を監視するためのデバイス１は、縫製、溶接または熱ボンディングによるプレスボタン、アイレットまたはリベットタイプの金属部品の圧着によって生地支持体に取り付けられた１つまたはいくつかのポケットを含む。これらの追加のポケットは、例えば電池または測定装置などの電子部品を、衣料品に挿入することを可能にする。生地支持体に対する電子部品の変位を制限するために、各ポケットの寸法は、ポケットが受け入れる部品の寸法よりも小さい。ポケットへの部品の挿入は、生地支持体の弾性特性のために可能である。
【００５０】
特に、デバイス１は、ポケット６（図１〜４で視認可能）と、ポケット６に収容された抵抗測定装置６１（図３で視認可能）とを含む。ポケット６は、使用者が衣料品を着用するとき使用者の肩に位置付けられるように生地支持体２に配置される。この位置は、使用者が横になっているとき、装置の存在によって生じる不快感を最小限にする可能性を与える。抵抗測定装置６１は、使用者の呼吸を追跡するために、導電帯３１および４１の抵抗の変動を測定して記録することができる。
【００５１】
呼吸監視デバイス１はさらに、中心軸Ｘに沿って筒状部分２１に取り付けられた中央シース５（図４で視認可能）と、センサのそれぞれを測定装置６１に接続するようにシース５の内側に配置された電気接続ケーブル５１〜５４とを含む。中央シースは、衣料品の中心軸Ｘに沿って延びる。中央シース５は好ましくはデバイスの後部に取り付けられる。
【００５２】
呼吸センサ３および４の接続は、以下の方法で達成される。接続ケーブル５１、５２、５３、５４の露出した端部が、接続される端部３１５、３１６、４１５、４１６と、付加される導電性生地部分との間に挟まれる。生地部分は、接着剤を用いて端部３１５、３１６、４１５、４１６に接着結合によって取り付けられる。例えば、使用される接着剤はポリプロカプロラクトン（ＰＣＬ）を主成分とする接着剤である。
【００５３】
図６および７は、呼吸センサ３を形成する導電帯３１の構造をそれぞれ休止状態および伸張状態で概略的に示す。
【００５４】
地ヤーン１６は複数のよこ列を形成するように編まれている。
【００５５】
同じく、検出ヤーン１７も複数のよこ列を形成するように編まれている。
【００５６】
検出ヤーン１７に使用される編み技術は、好ましくはジャージーベースによる緯編みである（すなわち、同一連続ヤーンによって形成される編目が同じよこ列に配置される）。地ヤーン１６についても同じ編み技術を用いることができる。
【００５７】
各よこ列は複数の連続した編目から構成される。同じよこ列の編目は、一方向に、次いで反対方向に二者択一的に湾曲したループを形成し、その結果、そのよこ列の編目は、すぐ下のよこ列の編目およびすぐ上のよこ列の編目と二者択一的に交錯する。
【００５８】
図６に示すように、導電帯３１が休止状態にあるとき、同じよこ列の編目は、複数の接点Ｐで互いに接触する。
【００５９】
図７に示すように、導電帯３１が編み方向（すなわちよこ列方向）に平行な方向Ｙに伸張されると、検出ヤーン１７の編目は互いに離れ、編目間の接点Ｐの数を減少させる。
【００６０】
かくして、編目の分離は、導電帯３１内の接点Ｐの再構成を引き起こし、これは導電帯３１の電気抵抗を変更させる効果を有する。
【００６１】
より具体的には、これは図８に示すように、導電帯３１が休止状態にあるとき、点線の線に沿って接点Ｐを介して検出ヤーン１７に沿って電流が流れ得る。
【００６２】
他方、これは図９に示すように、導電帯３１が伸張されると、これらの接点は消滅し、これにより検出ヤーン１７の有効な電気抵抗が増大される。
【００６３】
このように、導電帯３１の電気抵抗の変化を測定することにより、使用者の呼吸動作を検出することができる。
【００６４】
導電帯４１にも同じ原理が適用される。
【００６５】
図１４は、導電帯３１の電気抵抗を測定する装置６１の電気回路のブロック図である。
【００６６】
装置６１は、電圧発生器６１１と、第１の抵抗器６１２とを含む。電圧発生器６１１は、１０ミリボルトのオーダーの低入力電圧Ｕ１を発生する。
【００６７】
導電帯の端子に生成される出力電圧Ｕ２は、以下の式に等しく：
Ｕ２＝Ｕ１＊Ｒ／（Ｒ＋Ｒ６１２）
式中、Ｒは導電帯３１の抵抗であり、Ｒ６１２は抵抗器６１２の抵抗値であり、Ｕ１は発生器６１１によって生成された入力電圧である。
【００６８】
導電帯３１の端部３１５と３１６との間の電圧を測定することにより、それから導電帯３１の抵抗Ｒを推定することが可能である。
【００６９】
図１５は、装置１が呼吸をしている使用者に着用されているときに経時的に測定された導電帯３１の抵抗の変化を示す図である。
【００７０】
導電帯３１の抵抗は、その伸張に直接依存する。測定された抵抗の変化は、使用者の呼吸速度または呼吸サイクルの振幅などの呼吸パラメータを監視するために処理され得る。
【００７１】
装置１はさらに、使用者が生地支持体２で被覆されているときに導電帯３１および４１と使用者の皮膚との間に配置される１つまたはいくつかの絶縁層（不図示）を含み得る。絶縁層は、伸張可能な布または膜で形成されてもよい。絶縁層は、使用者の皮膚を、電流が流れる導電帯３１および４１から電気的に絶縁する可能性を与える。
【図１】
2018507081.tif 000003
【図２】
2018507081.tif 000004
【図３】
2018507081.tif 000005
【図４】
2018507081.tif 000006
【図５Ａ】
2018507081.tif 000007
【図５Ｂ】
2018507081.tif 000008
【図６】
2018507081.tif 000009
【図７】
2018507081.tif 000010
【図８】
2018507081.tif 000011
【図９】
2018507081.tif 000012
【図１０】
2018507081.tif 000013
【図１１】
2018507081.tif 000014
【図１２】
2018507081.tif 000015
【図１３】
2018507081.tif 000016
【図１４】
2018507081.tif 000017
【図１５】
2018507081.tif 000018
【国際調査報告】
2018507081.tif 000019
2018507081.tif 000020
2018507081.tif 000021
2018507081.tif 000022
2018507081.tif 000023
2018507081.tif 000024